【事件の表示】
　特願２００５−２０４６６７「デジタル再生のための画面探索方法及び画面探索装置」拒絶査定不服審判事件〔平成１８年　２月　２日出願公開、特開２００６−　３３８４１〕について、次のとおり審決する。
【結　論】
　本件審判の請求は、成り立たない。
【理　由】
１　手続の経緯  
　本願は、平成１７年７月１３日（パリ条約による優先権主張２００４年７月１５日、韓国）の出願であって、手続の概要は以下のとおりである。 　 　
拒絶理由通知　　　　　　　：平成２２年　９月２４日（起案日）  
手続補正　　　　　　　　　：平成２２年１２月２８日  
拒絶理由通知（最後）　　　：平成２３年　８月１９日（起案日）  
手続補正　　　　　　　　　：平成２３年１１月２４日 
補正却下　　　　　　　　　：平成２４年　７月３１日（起案日） 
拒絶査定　　　　　　　　　：平成２４年　７月３１日（起案日） 
拒絶査定不服審判請求　　　：平成２４年１２月　７日  
手続補正　　　　　　　　　：平成２４年１２月　７日  
前置審査報告　　　　　　　：平成２５年　２月２２日（起案日）  
審尋　　　　　　　　　　　：平成２５年　４月１２日（起案日）  
回答　　　　　　　　　　　：平成２５年　７月１６日
 　  
２　平成２４年１２月７日付け手続補正についての補正却下の決定  
 　  
［補正却下の決定の結論］  
 　平成２４年１２月７日付けの手続補正を却下する。  
 　  
［理由］  
（１）本件補正  
　平成２４年１２月７日付けの手続補正（以下「本件補正」という）は、特許請求の範囲の請求項１についての補正を含み、当該補正は、補正前の請求項１（平成２２年１２月２８日付け手続補正書に記載された請求項１）である 
「デジタル再生のための画面探索方法において、
　高速探索中に、ユーザにより選択された再生時点以前にある一つ以上のピクチャーを一つの画面または複数の画面上に構成して、多重画面を生成するステップと、
　前記構成された画面を出力するステップと、
　前記出力された画面のピクチャーのうちユーザが選択したピクチャーから再生するステップと、を含み、
　前記多重画面の生成ステップは、
　前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含むことを特徴とする画面探索方法。」　 
について、その「前記多重画面の生成ステップは」以下の部分を
「前記多重画面の生成ステップは、
　
ユーザが選択した再生時点前後から所定時間以前までの間に含まれたピクチャーの中で、
　前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含
み、前記上位階層に含まれるピクチャーは、高速探索中の出力画面であるＩピクチャーまたはＰピクチャーであり、時間的に連続する、下位階層のピクチャーが表示される場合には、前記表示される下位階層のピクチャーの前後にある上位階層のピクチャーが表示される
に補正するものである。（補正部分をアンダーラインで示す。）
　
（２）補正の適法性  
　ア　補正の範囲
　上記補正のうち、補正前の「前記多重画面を階層的に構成するステップを含む」の記載を、補正後の「前記多重画面を階層的に構成するステップを含
み、前記上位階層に含まれるピクチャーは、高速探索中の出力画面であるＩピクチャーまたはＰピクチャーであり、時間的に連続する、下位階層のピクチャーが表示される場合には、前記表示される下位階層のピクチャーの前後にある上位階層のピクチャーが表示される
　上記補正後の記載によれば、「前記多重画面を階層的に構成するステップ」の階層的構成のうち、「上位階層に含まれるピクチャーは、高速探索中の出力画面であるＩピクチャーまたはＰピクチャーである」との意味であるととらえることができる。
　多重画面は、「高速探索中に、ユーザにより選択された再生時点以前にある一つ以上のピクチャーを一つの画面または複数の画面上に構成して、多重画面を生成するステップ」の多重画面であるから、上記多重画面の生成について、発明の詳細な説明を参酌する。
　
　願書に最初に添付した本願明細書には、以下のとおりの記載がある。
　
『　【００２８】
　図４は、図２に示したディスプレイ制御部２６０の細部を示す構成図である。
　図４を参照すれば、ディスプレイ制御部２６０は、ピクチャー処理部２６１と、高速／ノーマル再生制御部２６２と、多重画面生成部２６３とを備える。
　【００２９】
　ピクチャー処理部２６１は、ビデオデコーダ２５０からデコーディングされたピクチャーを受信して、高速再生の場合に所定の倍率に縮少して画面保存部２９０に保存されるように提供する。正常な再生の場合には、ビデオデコーダ２５０からデコーディングされたピクチャーを受信し、ディスプレイ部２７０のフレーム比率に合わせて調整してディスプレイ部２７０に提供する。
　【００３０】
　高速／ノーマル再生制御部２６２は、ピクチャー処理部２６１から提供されたピクチャーデータを、ユーザ命令に合わせて高速で再生するか、またはノーマルに表示する。
　【００３１】
　多重画面生成部２６３は、高速探索中にユーザが再生選択命令を入力した場合に、一つの画面に複数枚のピクチャーを示すために多重画面を構成して再生するように制御する。このような多重画面は、一つ以上の画面で構成される。
　多重画面生成部２６３は、画面保存部２９０に保存された小さなサイズのピクチャーを提供されて多重画面を構成し、これをディスプレイ部２７０に提供する。多重画面に入る各ピクチャーのサイズは、一つの画面に表すピクチャーの数によって調整できる。ディスプレイしようとするピクチャーの数が多い場合には、ピクチャーに上位階層インデックス、下位階層インデックス番号を付けてツリー構造化して階層的に構成できる。すなわち、上位階層インデックス番号を持つピクチャー（上位階層にあるピクチャーは、その下位階層にあるピクチャーを代表する映像となる）をまずディスプレイし、そのピクチャーのうちユーザが所定ピクチャーを選択すれば、その選択されたピクチャーの下位階層インデックス番号を持つピクチャーをディスプレイするように、ディスプレイ部２７０に提供する。このようにすることで、多重画面に代表映像とそれ以前の代表映像との間の細部映像を表すことによって、ユーザがさらに正確に選択できる。』
　
　以上の記載では、高速探索中にユーザが再生選択命令を入力した場合に、一つの画面に複数枚のピクチャーを示す構成の概略であり、一つの画面に表すピクチャーの数によって、多重画面に入る各ピクチャーのサイズが調整できること、ディスプレイしようとするピクチャーの数が多い場合、ピクチャーに上位階層インデックス、下位階層インデックス番号を付けてツリー構造化して階層的に構成できることが記載されているといえる。
　
『　【００３２】
　図６は、本発明によって高速探索後の再生の選択時、出力画面の一例を説明するための参考図である。
　図６を参照すれば、経時的に保存部２１０からメディアインターフェース２２０を通じてストリームデコーダ２３０でデコーディングされ、ビデオデコーダ２５０でデコーディングされるピクチャーの順序が、Ｉ、Ｂ、…Ｂ、Ｐ、Ｂ、…Ｂ、Ｐ、…Ｐ、Ｂ、…Ｂ、Ｉ、Ｂとなっている。
　このようなピクチャーの順序を持つ状態で高速探索を行えば、ディスプレイ部２７０に表示される画面は、その高速倍速によって中間の画面（代表画面）のみ表示される。すなわち、図６を参照すれば、高速再生時出力画面はＩ、Ｐ、Ｉとなる。
　このような状態で、ユーザがＴ時点で再生選択のために、ボタンを押すなどのユーザインターフェース操作で再生時点を選択すれば、本発明によってディスプレイ部２７０には、ユーザが選択した再生時点から所定時間以前までのピクチャー、すなわち、Ｔ時点から所定時間以前までの間に含まれたピクチャーが出力される。図６を参照すれば、Ｔ時点以前の６個のピクチャー、Ｐ、Ｐ、Ｂ、Ｂ、Ｂ、Ｉがディスプレイ部２７０の一つの画面に表示される。本発明の一例によって、このように再生選択時点以前のピクチャーのうち、連続的に配列されたピクチャーが表示されることもあるが、連続的に配列されたピクチャーではなくてもよい。
　ユーザが選択した再生時点から所定時間以前までのピクチャー、すなわち、Ｔ時点から所定時間以前までの間に含まれたピクチャーのうち、一定数のピクチャーのみディスプレイ部２７０の一つの画面に表示される。すなわち、Ｔ時点以前のピクチャーのうち、３個のピクチャーごとに１つずつピクチャーが選択され、選択されたピクチャーが画面に表示されうる。このように飛び飛びにピクチャーを表示することは、高速探索中に画面がすぐ過ぎてユーザが所望の画面を見逃す確率がさらに高い場合に有利である。』
　
　以上の記載では、ビデオデコーダ２５０でデコーディングされるピクチャーの順序が、Ｉ、Ｂ、…Ｂ、Ｐ、Ｂ、…Ｂ、Ｐ、…Ｐ、Ｂ、…Ｂ、Ｉ、Ｂとなっているとき、高速探索を行えば、ディスプレイ部２７０に表示される画面は、その高速倍速によって中間の画面（代表画面）として、図６を参照すれば、高速再生時出力画面はＩ、Ｐ、Ｉが表示されることが記載されているといえる。
　また、このような状態で、再生時点を選択すれば、ディスプレイ部２７０には、ユーザが選択した再生時点から所定時間以前までのピクチャー、すなわち、Ｔ時点から所定時間以前までの間に含まれたピクチャーとして、図６を参照すれば、Ｔ時点以前の６個のピクチャー、Ｐ、Ｐ、Ｂ、Ｂ、Ｂ、Ｉがディスプレイ部２７０の一つの画面に表示されること、および、Ｔ時点以前のピクチャーのうち、３個のピクチャーごとに１つずつピクチャーが選択され、選択されたピクチャーが画面に表示されうることが記載されている。
　いずれにしても、上記記載は、階層的構成ではない場合であるといえる。
　
『　【００３３】
　図７は、本発明による階層的多重画面の例を説明するための参考図である。
　階層的多重画面は、高速探索後にユーザが再生選択をした場合に、ユーザに示す多重画面を階層的に構成するものである。すなわち、最初の画面には、ピクチャー間の時間間隔が遠く離れたピクチャーを表示し、ユーザがそのうちで一つのピクチャーを選択すれば、次の画面に、ユーザが選択したピクチャーの周辺にあるピクチャーをディスプレイ部２７０に表示することである。このようにして、ユーザが探そうとする再生画面をさらに細密にさがすことができ、高速倍速の高い高速探索の場合に効果的である。
　【００３４】
　図７を参照すれば、高速探索中にユーザが再生選択を入力した時点であるＴ時点と、Ｔ時点から所定時間以前にある時点までの間隔内に入っている４個のピクチャーである第１ピクチャー、第２ピクチャー、第３ピクチャー、第４ピクチャーを多重画面の第１階層として構成し、第１ピクチャー以前にある６個のピクチャー、第２ピクチャー以前にある６個のピクチャー、第３ピクチャー以前にある６個のピクチャー、第４ピクチャー以前にある６個のピクチャーを多重画面の第２階層として構成する。
　多重画面の最初の画面には、第１ピクチャー、第２ピクチャー、第３ピクチャー、第４ピクチャーを表示し、ユーザがそのうちでいずれか一つのピクチャーを選択すれば、その選択されたピクチャーの下位にあるピクチャーを次の画面に表示する。例えば、ユーザが第１ピクチャーを選択した場合の例が図８に図示されている。
　【００３５】
　図８は、図７に示した階層的多重画面の場合にディスプレイ部２７０に表示されるピクチャーを説明するための参考図である。
　図８を参照すれば、多重画面の最初の画面に第１ピクチャー、第２ピクチャー、第３ピクチャー、第４ピクチャーが表示され、そのうち、ユーザが第１画面を選択すれば、二番目の画面には第１ピクチャー、第１−１ピクチャー、第１−２ピクチャー、第１−３ピクチャー、第１−４ピクチャー、第１−５ピクチャー、第１−６ピクチャー、第２ピクチャーが表示される。第１ピクチャーの下位階層ピクチャーは、第１−１ピクチャー、第１−２ピクチャー、第１−３ピクチャー、第１−４ピクチャー、第１−５ピクチャー、第１−６ピクチャーであり、第２ピクチャーは、次の選択のために表示されうる。他のピクチャーの選択のために、第１階層にあるピクチャーのリストを作って画面の一部に配列することもできる。』
　
　以上の記載によれば、階層的多重画面の場合、図７を参照すれば、高速探索中にユーザが再生選択を入力した時点であるＴ時点と、Ｔ時点から所定時間以前にある時点までの間隔内に入っている４個のピクチャーである第１ピクチャー、第２ピクチャー、第３ピクチャー、第４ピクチャーを多重画面の第１階層として構成し、第１ピクチャー以前にある６個のピクチャー、第２ピクチャー以前にある６個のピクチャー、第３ピクチャー以前にある６個のピクチャー、第４ピクチャー以前にある６個のピクチャーを多重画面の第２階層として構成し、多重画面の最初の画面には、第１ピクチャー、第２ピクチャー、第３ピクチャー、第４ピクチャーを表示し、ユーザがそのうちでいずれか一つのピクチャーを選択すれば、その選択されたピクチャーの下位にあるピクチャーを次の画面に表示することが記載されている。
　上記記載では、先に表示される（第１階層の）４個のピクチャーである第１ピクチャー、第２ピクチャー、第３ピクチャー、第４ピクチャーは、第１ピクチャー以前にある６個のピクチャー、第２ピクチャー以前にある６個のピクチャー、第３ピクチャー以前にある６個のピクチャー、第４ピクチャー以前にある６個のピクチャーを代表するものとして表示されているととらえることができ、第１階層のピクチャーは、すべてのピクチャのうち、７個おきに現れるピクチャーを選択しているといえ、上記７個おきに現れるピクチャーは必ずしもＩピクチャーまたはＰピクチャーであるとは限らないから、当該記載からは、第１階層の画像ピクチャーがＩピクチャーまたはＰピクチャーであるとはいえない。
　また、上記第１階層のピクチャーが「高速探索中の出力画面であるＩピクチャーまたはＰピクチャーである」すなわち、高速探索中の出力画面である（高速探索中に表示された画面）であるためには、高速探索が７倍速でなければならないといえるが、本願明細書にはそのような記載はないから、第１階層のピクチャーが「高速探索中の出力画面である」ことも当該記載から読み取ることはできない。
　
『　【００３６】
　図９Ａ及び図９Ｂは、本発明による高速探索後の再生方法の過程を示すフローチャートである。
　高速探索処理部３３０がユーザインターフェースを通じて高速探索命令を受信すれば（ステップ９０１）、高速探索動作と関連した装置を初期化して駆動する（ステップ９０２）。高速探索処理部３３０の制御により、ストリームデコーダ２３０はストリームを受信して分析し（ステップ９０３）、ビデオデコーダ２５０は、ストリームデコーダ２３０により伝送されたＥＳストリームを受信してデコーディングし（ステップ９０４）、ビデオデコーダ２５０によりデコーディングされたピクチャーは、ディスプレイ制御部２６０により小さなサイズに処理される（ステップ９０５）。次いで、このように小さなサイズに処理されたデータは、画面保存部２９０に伝送されて保存される（ステップ９０６）。
　【００３７】
　そして、ディスプレイ部２７０は、高速倍速に合う代表映像をディスプレイ制御部２６０から受信してディスプレイする（ステップ９０７）。すなわち、ディスプレイ制御部２６０は、ビデオデコーダ２５０から受信されたデコーディングされたピクチャーを、ユーザが選択した高速倍速に合う速度でディスプレイ部２７０に表示させたフレームのピクチャーをディスプレイ部２７０に提供し、また内部的には、小さな倍率のピクチャーを作ってそれを画面保存部２９０に保存されるように提供する。いかなる時点にユーザが再生選択命令を入力してもディスプレイ部２７０に多重画面を提供できるように、画面保存部２９０は、毎時点に一つの多重画面または複数の多重画面に入る小さな倍率のピクチャーをいずれも保存していなければならない。画面保存部２９０に小さな倍率のピクチャーが保存される方式は、ＦＩＦＯ（Ｆｉｒｓｔ Ｉｎ Ｆｉｒｓｔ Ｏｕｔ）を利用することが望ましい。
　【００３８】
　このような高速探索動作中に再生選択処理部３４０が、ユーザインターフェースを通じて再生選択命令を受信すれば（ステップ９０８）、再生選択処理部３４０は高速探索後の再生選択のための装置を初期化して駆動する（ステップ９０９）。そして、ディスプレイ制御部２６０が、画面保存部２９０に保存された小さな倍率のピクチャーを利用して多重画面を構成し、それをディスプレイ部２７０が出力できるように制御する（ステップ９１０）。
　ディスプレイ部２７０に表示された多重画面のうち、ユーザが再生時点となるピクチャーを選択して選択命令を提供すれば、再生処理部３５０は、ユーザインターフェースを通じてこのような選択命令を受信し（ステップ９１１）、再生動作と関連した装置を初期化して駆動する（ステップ９１２）。そして、再生処理部３５０は、フレーム比率によってピクチャーがディスプレイ部２７０に表示されるように制御する（ステップ９１３）。』
　
　以上の記載、特に
　
「ストリームデコーダ２３０はストリームを受信して分析し（ステップ９０３）、ビデオデコーダ２５０は、ストリームデコーダ２３０により伝送されたＥＳストリームを受信してデコーディングし（ステップ９０４）、ビデオデコーダ２５０によりデコーディングされたピクチャーは、ディスプレイ制御部２６０により小さなサイズに処理される（ステップ９０５）。次いで、このように小さなサイズに処理されたデータは、画面保存部２９０に伝送されて保存される（ステップ９０６）。」
「ディスプレイ部２７０は、高速倍速に合う代表映像をディスプレイ制御部２６０から受信してディスプレイする（ステップ９０７）。すなわち、ディスプレイ制御部２６０は、ビデオデコーダ２５０から受信されたデコーディングされたピクチャーを、ユーザが選択した高速倍速に合う速度でディスプレイ部２７０に表示させたフレームのピクチャーをディスプレイ部２７０に提供し、また内部的には、小さな倍率のピクチャーを作ってそれを画面保存部２９０に保存されるように提供する。いかなる時点にユーザが再生選択命令を入力してもディスプレイ部２７０に多重画面を提供できるように、画面保存部２９０は、毎時点に一つの多重画面または複数の多重画面に入る小さな倍率のピクチャーをいずれも保存していなければならない。」
　
によれば、「ＥＳストリームを受信してデコーディングし（ステップ９０４）、ビデオデコーダ２５０によりデコーディングされたピクチャー」のピクチャーは、ＥＳストリームに含まれるすべてのピクチャーであるととらえるのが普通である。
　すなわち、ストリームデコーダは、受信したストリームのピクチャーをすべてデコードし、その上で、高速倍速（探索）のために必要な代表画像を選択して表示したり、すべてのピクチャーを小さな倍率のピクチャーとして保存し、多重画面の生成に必要な画像を選択して表示しているといえる。
　これらの記載を見ても、「前記上位階層に含まれるピクチャーは、高速探索中の出力画面であるＩピクチャーまたはＰピクチャーであ」ることを見て取ることはできない。
　
　請求人は、平成２３年１１月２４日付け意見書において、
『すなわち、本願の補正後の請求項１（補正前の請求項１＋段落００３２（このようなピクチャーの順序を持つ状態で高速探索を行えば、ディスプレイ部２７０に表示される画面は、その高速倍速によって中間の画面（代表画面）のみ表示される。すなわち、図６ を参照すれば、高速再生時出力画面はＩ、Ｐ、Ｉとなる。）＋図６、図７等）等は、「ユーザが選択した再生時点から所定時間以前までの間に含まれたピクチャーの中で、前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含み、前記上位階層に含まれるピクチャーは、高速探索中の出力画面であるＩピクチャーまたはＰピクチャーであること」ことを技術的構成の一つの特徴としており、この技術的特徴と同様の技術的思想の構成は引用文献１乃至４には記載されていない構成であると思料しております。
　本願は上記のような特徴を有することにより、高速探索中の出力画面の中からユーザが選択した時点から所定の時間前までの画面を、追加の画像処理を実施することなく、迅速かつ容易に表示でき、その後に詳細な補間画像を表示するための追加の画像処理を実施することができるようなります（ＭＰＥＧ方式の各フレームはＩピクチャー、Ｐピクチャー、Ｂピクチャーから成っている。Ｉピクチャーは一つのフレームの画像データを圧縮して作成される。Ｐピクチャーは直前のフレームの画像データとの差により作成される。Ｂピクチャーは直前及び直後のフレームの画像データとの差により作成される。（引用文献１、段落０００４参照）。このように、「本発明によれば、高速探索中にユーザが所望の再生時点を正確にさがせるようにして、ユーザに便宜性を提供できる。（段落０００９等）」、「最初の画面には、ピクチャー間の時間間隔が遠く離れたピクチャーを表示し、ユーザがそのうちで一つのピクチャーを選択すれば、次の画面に、ユーザが選択したピクチャーの周辺にあるピクチャーをディスプレイ部２７０ に表示することができる。このようにして、ユーザが探そうとする再生画面をさらに細密にさがすことができ、高速倍速の高い高速探索の場合に効果的である。（段落００３３等）。」という本願に特有の効果を奏します。』
　
と主張しているが、本願明細書の記載を見れば、その実施例では、ＥＳストリームを受信すると、その時点で、すべてのピクチャーをデコードしているのであるから、上記主張に根拠はない。
　
　以上のとおり、補正後の「前記上位階層に含まれるピクチャーは、高速探索中の出力画面であるＩピクチャーまたはＰピクチャーであ」ることは、願書に最初添付した明細書に記載されていた事項であるということはできないから、願書に最初に添付した明細書、特許請求の範囲又は図面に記載した事項の範囲内においてする補正であるということはできない。
　
　したがって、本件補正は、特許法第１７条の２第３項の規定に違反するので、同法第１５９条第１項において読み替えて準用する同法第５３条第１項の規定により却下すべきものである。 
　
　上記のとおり、本件補正は、願書に最初に添付した明細書、特許請求の範囲又は図面に記載した事項の範囲内においてする補正であるとはいえず、却下すべきものであるといえるが、仮に、本件補正が、願書に最初に添付した明細書又は図面に記載した事項の範囲内においてする補正であるとした場合についてさらに以下で検討する。
　
　イ　補正の目的  
　上記請求項１についての補正は、第１の補正点として、補正前の請求項１中の「前記多重画面生成ステップは、」の次に「ユーザが選択した再生時点前後から所定時間以前までの間に含まれたピクチャーの中で、」を挿入するものであるので、まずこの第１の補正点について検討する。
　補正前の請求項１では、上記のとおり、「前記多重画面の生成ステップは、前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含む」としているが、上記「多重画面の生成ステップ」は、その前提として、上記のとおり「高速探索中に、ユーザにより選択された再生時点以前にある一つ以上のピクチャーを一つの画面または複数の画面上に構成して、多重画面を生成する」ものであり、したがって、補正前の請求項１における上記多重画面を階層的に構成するステップも、（高速再生中に）「ユーザにより選択された再生時点以前にある」ピクチャーを対象として、上記上位階層と下位階層に含めるステップであるといえる。
　そうすると、上記第１の補正点は、上記多重画面を階層的に構成するステップにおいて上位階層と下位階層に含める対象とするピクチャーについて、補正前は「ユーザにより選択された再生時点以前にあるピクチャー」であったのを、「ユーザが選択した再生時点前後から所定時間以前までの間に含まれたピクチャー」に補正したものといえる。
　ここで、上記補正は、補正前の「ユーザにより選択された再生時点」、補正後の「ユーザが選択した再生時点の前後」をそれぞれ上記ピクチャが含まれる期間の起点としてみると、“起点以前にあるピクチャ”を“起点から所定時間以前までの間に含まれるピクチャ”に限定するものといえるが、上記起点を補正後のように「再生時点前後」とした点は意味が不明であるのでこの点について検討すると、この点は以下のとおり誤った補正であって、発明としての意味ある要件とは認め得ないものである。
　すなわち、まず、本願の明細書の記載についてみると、明細書には、発明の課題に関し、「高速順方向の再生動作中（高速逆方向の再生動作も同様）に、ユーザが画面を目で見ながら所望の画面を選択するためにボタンを操作すれば、ボタンを操作する時間と再生装置が反応する時間との差により遅延が発生して、ユーザが所望の正確な再生時点の画面を見逃す恐れがある。」（【０００５】）、「本発明は、前記のような問題点を解決して、高速探索中にユーザが正確な再生時点の画面を選択可能にして、ユーザに便利性を付与できる画面探索方法及び画面探索装置を提供することを目的とする。」（【０００６】）と記載され、また当該課題の解決手法について、「ユーザがＴ時点で再生選択のために、ボタンを押すなどのユーザインターフェース操作で再生時点を選択すれば、本発明によってディスプレイ部２７０には、ユーザが選択した再生時点から所定時間以前までのピクチャー、すなわち、Ｔ時点から所定時間以前までの間に含まれたピクチャーが出力される。図６を参照すれば、Ｔ時点以前の６個のピクチャー、Ｐ、Ｐ、Ｂ、Ｂ、Ｂ、Ｉがディスプレイ部２７０の一つの画面に表示される。」（【００３２】）との記載、特に上記ピクチャーを階層的多重画面とする場合についての「図７を参照すれば、高速探索中ににユーザが再生選択を入力した時点であるＴ時点と、Ｔ時点から所定時間以前にある時点までの間隔内に入っている４個のピクチャーである第１ピクチャー、第２ピクチャー、第３ピクチャー、第４ピクチャーを多重画面の第１階層として構成し、第１ピクチャー以前にある６個のピクチャー、第２ピクチャー以前にある６個のピクチャー、第３ピクチャー以前にある６個のピクチャー、第４ピクチャー以前にある６個のピクチャーを多重画面の第２階層として構成する。」との記載があり、これら明細書の記載からすると、上記請求項１での多重画面を構成するピクチャ、あるいは階層的多重画面の上位／下位階層に含めるピクチャは、いずれも「ユーザが選択した再生時点から所定時間以前までのピクチャ」であるべきものであって、上記階層的多重画面の上位／下位階層に含めるピクチャーについては、当該ピクチャを補正後の請求項１のように、“ユーザが選択した再生時点「前後」から所定時間以前までのピクチャー”とするようなことは、上記明細書の記載と矛盾し、発明としての意味ある要件として把握することができないものである。
　また、この点は、本件審判の請求理由において、上記「ユーザが選択した再生時点から所定時間以前までのピクチャー」が、補正後の請求項１のように、特に“再生時点「前後」から所定時間以前までのピクチャー”である点で格別のものである旨の主張はなく、かえって請求項１に係る発明の特徴点についての主張では、上記「再生時点前後」を単に「再生時点」としており（審判請求書の第１１頁８〜９行目、第１３頁１６〜１７行目等）、また当審での審尋に対する回答書でも同様である（回答書第２頁下から７〜６行目）点からも窺われるところである。
　したがって、補正後の請求項１における上記“ユーザが選択した再生時点「前後」から所定時間以前までのピクチャー”は、上記のとおり誤りであって、正しくは“ユーザが選択した再生時点から所定時間以前までのピクチャー”というべきものであるから、以下そのようなピクチャーであることとする。
　そうすると、結局、上記請求項１についての第１の補正点は、上記多重画面を階層的に構成するステップにおいて上位階層と下位階層に含める対象とするピクチャーを補正前の「ユーザにより選択された再生時点以前にある」ピクチャーから補正後の「ユーザが選択した再生時点から所定時間以前までの間に含まれた」ピクチャーに限定したものといえる。
　次に、上記請求項１についての補正は、第２の補正点として、補正前の請求項１に「前記上位階層に含まれるピクチャーは、高速探索中の出力画面であるＩピクチャーまたはＰピクチャーであり、」との特定事項を加えるものであるが、この点は、補正前の請求項１に記載された「上位階層に含まれるピクチャー」が「高速探索中の出力画面であるＩピクチャーまたはＰピクチャー」である点を限定するものであることが明らかである。
  更に、上記請求項１についての補正は、第３の補正点として、補正前の請求項１に「時間的に連続する、下位階層のピクチャーが表示される場合には、前記表示される下位階層のピクチャーの前後にある上位階層のピクチャーが表示される」との特定事項を加えるものであるのでこの点について検討する。
　補正前の請求項１は、上記のように、「前記出力された画面のピクチャーのうちユーザが選択したピクチャから再生するステップ」を含んでおり、当該ステップを実行する上で上記出力された画面のピクチャーはユーザが選択し得るように適宜表示されていることは明らかであり、また補正前の請求項１における上記出力された画面のピクチャ−は、多重画面を階層的に構成するステップにより上位階層と下位階層にそれぞれ含めた各ピクチャー、すなわち上位階層のピクチャと下位階層のピクチャーであるから、結局、これら上位階層のピクチャーと下位階層のピクチャーとがユーザ選択可能なように適宜表示されているといえる。
　そして、上記請求項１についての補正における第３の補正点は、上記上位階層のピクチャーと下位階層のピクチャーの表示につき、その表示態様が「時間的に連続する、下位階層のピクチャーが表示される場合には、前記表示される下位階層のピクチャーの前後にある上位階層のピクチャーが表示される」ものであるとの限定を付すものである。
　以上のとおりであるから、上記請求項１についての補正における第１から第３までの各補正点は、いずれも補正前の請求項１に記載した発明を特定するために必要な事項を限定するものであって、かつ、補正の前後において請求項１に記載される発明の産業上の利用分野及び解決しようとする課題は同一であることが認められ、したがって、同補正は特許請求の範囲の減縮を目的とする補正に該当する。  
　
　ウ　独立特許要件  
　以上のように、上記請求項１についての補正は特許請求の範囲の減縮を目的とする補正に該当するので、補正後の請求項１に係る発明（以下「補正後発明」という）が独立特許要件（特許法第１７条の２第５項において準用する同法第１２６条第５項の規定）を満たすか否かについて検討する。  
 　  
（ア）補正後発明  
　補正後発明は、補正後の請求項１により特定される次のとおりのものである。
　
〈補正後発明〉
　デジタル再生のための画面探索方法において、
　高速探索中に、ユーザにより選択された再生時点以前にある一つ以上のピクチャーを一つの画面または複数の画面上に構成して、多重画面を生成するステップと、
　前記構成された画面を出力するステップと、
　前記出力された画面のピクチャーのうちユーザが選択したピクチャーから再生するステップと、を含み、
　前記多重画面の生成ステップは、
　ユーザが選択した再生時点から所定時間以前までの間に含まれたピクチャーの中で前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含み、前記上位階層に含まれるピクチャーは、高速探索中の出力画面であるＩピクチャーまたはＰピクチャーであり、時間的に連続する、下位階層のピクチャーが表示される場合には、前記表示される下位階層のピクチャーの前後にある上位階層のピクチャーが表示されることを特徴とする画面探索方法。
　
　なお、補正後の請求項１に“ユーザが選択した再生時点「前後」から所定時間以前までの間”とあるのは、前記のとおり誤りであって、正しくは“ユーザが選択した再生時点から所定時間以前までの間”であると認められるので、この点を踏まえて補正後発明を上記のように認定した。
　
（イ）刊行物１  
　ａ　刊行物１の記載  
　原査定の拒絶理由に引用された特開２００４−１５９０８２号公報（以下「刊行物１」という）には、図面（図１〜図４）と共に次の記載がある。
　
【０００１】
【発明の属する技術分野】
本発明は動画像を編集する画像編集プログラム及び画像編集装置に関する。
【０００２】
【従来の技術】
ＤＶＤ、ＨＤＤ、ビデオＣＤ等に記録された動画像は一般にＭＰＥＧ方式により圧縮されている。特許文献１には、ＭＰＥＧ方式の動画像を編集する画像編集装置が開示されている。この画像編集装置は、編集画面に設けられたスライドバーを移動すると、スライドバーの位置に応じた動画像のフレームを復号して表示する。ユーザは表示された画像を視認して所望の再生点を指定することができる。これにより、削除開始点及び削除終了点を指定してこの間のフレームを削除できるようになっている。
【０００３】
【特許文献１】
特開２００２−８４５０３号公報（第８頁〜第９頁、第１３図）
【０００４】
【発明が解決しようとする課題】
ＭＰＥＧ方式の各フレームはＩピクチャ、Ｐピクチャ、Ｂピクチャから成っている。Ｉピクチャは一つのフレームの画像データを圧縮して作成される。Ｐピクチャは直前のフレームの画像データとの差により作成される。Ｂピクチャは直前及び直後のフレームの画像データとの差により作成される。フレームは０．５秒間に通常１５枚設けられており、その間におよそＩピクチャが１枚、Ｐピクチャが４枚、Ｂピクチャが１０枚程度含まれている。
【０００５】
このため、例えばＣＭカットを行う際に多量のフレームの画像の中からＣＭが開始または終了するフレームを見つけるのが容易ではなく、編集作業の時間がかかる問題があった。また、ＰピクチャやＢピクチャを復号する際には前後のフレームの情報を必要とし、前後のフレームがＰピクチャやＢピクチャの場合は更にその前後のフレームの情報を必要とするため復号時間がかかる。このため、復号時間によって編集作業が更に遅延する問題もあった。
【０００６】
本発明は、編集作業の迅速化を図ることができる画像編集プログラム及び画像編集装置を提供することを目的とする。
【０００７】
【課題を解決するための手段】
上記目的を達成するために本発明の画像編集プログラム及び画像編集装置は、動画像を再生する動画再生工程と、
再生中の動画像からユーザにより選択された再生位置の前後所定期間に含まれるＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
削除開始位置から削除終了位置までのフレームを削除する削除工程と、
を備えたことを特徴としている。
【０００８】
この構成によると、例えばＣＭカットする場合に、再生中の動画像からＣＭの開始位置の近傍の再生位置がユーザにより指定されると、指定した再生位置の近傍の複数のＩピクチャが表示される。表示されたＩピクチャの中からユーザがＣＭの開始位置を指定すると、指定したＩピクチャと、その前またはその後のＩピクチャとの間の各フレームが復号して表示される。表示されたフレームからＣＭの開始位置のフレームを選択すると選択したフレームが削除開始位置としてメモリに記憶される。同様にＣＭの終了位置のフレームが削除終了位置としてメモリに記憶される。削除開始位置の直前のフレームがＢピクチャの場合は削除開始位置のフレームのデータに基づいて直前のフレームが復号され、Ｉピクチャに変換される。削除終了位置の直後のフレームがＰピクチャやＢピクチャの場合は削除終了位置のフレームのデータに基づいて直後のフレームが復号され、Ｉピクチャに変換される。そして、削除開始位置から削除終了位置までのフレームが削除されてＣＭカットが行われる。
　
【００１２】
【発明の実施の形態】
以下に本発明の実施形態を図面を参照して説明する。図１は一実施形態の画像編集装置を示すブロック図である。画像編集装置１はＤＶＤレコーダやＨＤＤレコーダ等から成り、画像の記録再生ができるとともに再生した画像を確認しながら編集可能になっている。
【００１３】
ドライブ３はＤＶＤドライブ、ＨＤＤ、ＣＤドライブ等から成り、ＭＰＥＧ方式の動画像を記録するとともに動画像が記録された光ディスクや磁気記録媒体を再生する。記憶部４はＲＯＭ、ＲＡＭ、磁気記録媒体等から成り、画像編集装置１を動作させる画像編集プログラム等のプログラムや各種設定データを記憶するとともにや演算の一時記憶等を行う。
　
【００１７】
ＣＭカットを行う場合には画像編集プログラムのメニュー画面（不図示）から例えば「編集」を選択すると、編集処理が呼び出される。図２〜図４は編集処理を示すフローチャートである。図２のステップ＃１１では上記と同様に、動画像の再生が行われる。
【００１８】
ステップ＃１２では図３に示す開始位置指定処理が呼び出される。図３のステップ＃２１では、ユーザが再生中の動画像を確認しながら操作部５によりＣＭカットの開始位置を指定するまで待機する。ＣＭカットの開始位置が指定されるとステップ＃２２に移行する。
【００１９】
この時、再生中の動画像を確認しながら操作するため、ユーザの指定した再生位置は誤差を含み、正確にＣＭの開始位置を指定されていない場合がある。このため、ステップ＃２２では、指定した再生位置の例えば前後５秒間に含まれるＩピクチャが表示される。通常Ｉピクチャは０．５秒間に１枚程度の割合で設けられるため、約２０枚のＩピクチャのサムネール画像が表示装置９に一覧表示される。１枚ずつのＩピクチャをユーザの操作によりコマ送りして表示してもよい。
【００２０】
ステップ＃２３ではＣＭが開始されたＩピクチャをユーザが選択するまで待機する。Ｉピクチャが選択されると、ステップ＃２４に移行する。ステップ＃２４では、選択されたＩピクチャと直前のＩピクチャとの間に含まれたＰピクチャ及びＢピクチャのデータが復号して表示される。隣接するＩピクチャ間には通常１４枚程度のＰピクチャ及びＢピクチャが含まれるため、例えば１６枚の各フレームのサムネール画像が表示装置９に一覧表示される。１枚ずつのフレームの画像をユーザの操作によりコマ送りして表示してもよい。
【００２１】
ステップ＃２５ではＣＭの開始位置のフレームが選択されるまで待機し、フレームが選択されるとステップ＃２６に移行する。ステップ＃２６では選択したフレームの直前のフレームがＢピクチャか否かが判断される。直前のフレームがＩピクチャまたはＰピクチャの場合はステップ＃２８に移行する。
【００２２】
直前のフレームがＢピクチャの場合は、選択したフレームを削除すると復号することができなくなる。このため、ステップ＃２７に移行し、選択したフレームの削除前に直前のフレームを復号してＩピクチャに変換する。
【００２３】
ステップ＃２８では選択したフレームの先頭からのフレーム数やタイムコードから成る再生位置が記憶部４に記憶される。これにより、ＣＭカットの開始位置を正確に指定し、図２のフローチャートに戻る。
【００２４】
図２のステップ＃１３では図４の終了位置指定処理が呼び出される。終了位置指定処理は開始位置指定処理と同様の動作が行われる。
　
【００３１】
本実施形態によると、動画像の再生中に選択された再生位置の前後所定期間に含まれるＩピクチャを表示し、各Ｉピクチャから選択されたＩピクチャとその直前または直後のＩピクチャとの間に含まれる各フレームを表示して削除開始位置と削除終了位置＋のフレームを選択する。
【００３２】
従って、ＣＭ等の開始位置や終了位置のフレームを容易に見つけることができるため編集作業の作業性を向上させることができる。また、前後のフレームの情報を必要とするＰピクチャやＢピクチャを隣接するＩピクチャ間だけ復号すればよい。このため、復号の時間を短縮することができ、編集作業の作業性を更に向上させることができる。
【００３３】
尚、動画像のデータ全体からＩピクチャのみを取り出して連続表示し、その中から選択したＩピクチャとその直前または直後のＩピクチャとの間に含まれる各フレームを表示して削除開始位置と削除終了位置のフレームを選択してもよい。この時、Ｉピクチャの連続表示に替えて、ユーザの指示によるコマ送り表示やスライドバーを操作してユーザが所望の位置のＩピクチャを表示させて選択してもよい。
【００３４】
また、連続表示されるＩピクチャから選択した位置の前後所定期間（例えば５ｓｅｃ）内のＩピクチャを表示した後、その中から選択されたＩピクチャとその直前または直後のＩピクチャとの間に含まれる各フレームを表示してもよい。
【００３５】
【発明の効果】
本発明によると、動画像の再生中に選択された再生位置の前後所定期間に含まれるＩピクチャや、動画像のデータから抽出されたＩピクチャを表示し、各Ｉピクチャから選択されたＩピクチャとその直前または直後のＩピクチャとの間に含まれる各フレームを表示して削除開始位置と削除終了位置のフレームを選択する。
【００３６】
従って、ＣＭ等の開始位置や終了位置のフレームを容易に見つけることができるため編集作業の作業性を向上させることができる。また、前後のフレームの情報を必要とするＰピクチャやＢピクチャを隣接するＩピクチャ間だけ復号すればよい。このため、復号の時間を短縮することができ、編集作業の作業性を更に向上させることができる。
　
　ｂ　刊行物１記載の発明  
　上記刊行物１の記載によると、刊行物１には、画像編集プログラムに関する発明が記載されており、当該発明は、刊行物１の前掲【０００７】の記載にあるとおり、
「動画像を再生する動画再生工程と、
再生中の動画像からユーザにより選択された再生位置の前後所定期間に含まれるＩピクチャを表示するＩピクチャ表示工程と、
表示した各Ｉピクチャからユーザにより選択されたＩピクチャとその直前または直後のＩピクチャとの間に含まれる各フレームの画像を表示するフレーム表示工程と、
表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
削除開始位置から削除終了位置までのフレームを削除する削除工程と、
を備えた」ものである。 
　ここで、上記発明における「再生中の動画像からユーザにより選択された再生位置の前後所定期間に含まれるＩピクチャを表示するＩピクチャ表示工程」に関し、刊行物1の前掲【００１９】段落には、「ステップ＃２２では、指定した再生位置の例えば前後５秒間に含まれるＩピクチャが表示される。通常Ｉピクチャは０．５秒間に１枚程度の割合で設けられるため、約２０枚のＩピクチャのサムネール画像が表示装置９に一覧表示される。」とあるから、上記Ｉピクチャ表示工程では、表示対象とするＩピクチャ（ユーザにより選択された再生位置の前後所定期間に含まれるＩピクチャ）を「一覧表示」するものである。
　また、上記発明における「表示した各Ｉピクチャからユーザにより選択されたＩピクチャとその直前または直後のＩピクチャとの間に含まれる各フレームの画像を表示するフレーム表示工程」に関し、刊行物１の前掲【００２０】段落には、「ステップ＃２４では、選択されたＩピクチャと直前のＩピクチャとの間に含まれたＰピクチャ及びＢピクチャのデータが復号して表示される。隣接するＩピクチャ間には通常１４枚程度のＰピクチャ及びＢピクチャが含まれるため、例えば１６枚の各フレームのサムネール画像が表示装置９に一覧表示される。」との記載があり、ここでいう「１６枚の各フレームのサムネイル画像が表示装置９に一覧表示される。」とは、上記の記載全体からみて、選択されたＩピクチャとその直前のＩピクチャ（隣接するＩピクチャ）との間にある１４枚のＰピクチャとＢピクチャに、上記選択されたＩピクチャと直前のＩピクチャを加えた１６枚のピクチャが各フレームの画像（そのサムネイル画像）として一覧表示されるというものであることが明らかで、そうすると、上記フレーム表示工程は、ユーザにより選択されたＩピクチャとその直前のＩピクチャとの間に含まれるＰピクチャとＢピクチャに上記の各Ｉピクチャーを加えたピクチャーを各フレームの画像として一覧表示するものといえる。
　以上の点をまとめると、刊行物１には、次の発明（以下「引用発明」ともいう）が記載されているといえる。
　
〈引用発明〉
　動画像を再生する動画再生工程と、
再生中の動画像からユーザにより選択された再生位置の前後所定期間に含まれるＩピクチャを一覧表示するＩピクチャ表示工程と、
　一覧表示した各Ｉピクチャからユーザにより選択されたＩピクチャーとその直前のＩピクチャーとの間に含まれるＰピクチャとＢピクチャに上記の各Ｉピクチャーを加えたピクチャーを各フレームの画像として一覧表示するフレーム表示工程と、
　表示した各フレームの画像からユーザにより選択されたフレームを削除開始位置または削除終了位置として記憶する記憶工程と、
削除開始位置の直前のフレームの画像及び削除終了位置の直後のフレームの画像をＩピクチャに変換する変換工程と、
　削除開始位置から削除終了位置までのフレームを削除する削除工程と、
を備えた画像編集プログラム。
　
（ウ）対比  
　以下、補正後発明を引用発明と対比する。 
　ａ　発明の対象について  
　補正後発明は「デジタル再生のための画面探索方法」であるところ、当該方法は、明細書（【００１１】、【００２７】、【００３８】等）の記載に照らし、ＤＶＤ等に記録したデジタル画像（動画像）を所望の時点から再生するための画面探索方法といえるものである。
　これに対し、引用発明は「画像編集プログラム」であって、上記の各工程を実行し、記録画像中の所望部分（例えばＣＭ部分）を削除する編集を行うもので、補正後発明のように記録画像を所望時点から再生することを前提とするものではない。　
　しかしながら、引用発明の画像編集プログラムは、その実施の形態（【００１２】，【００１３】、図１参照）からみて、ＤＶＤレコーダ等において実行され、その記録デジタル画像（ＭＰＥＧ方式の動画像）を対象に上記所望部分を削除する編集を行うもので、上記の各実行工程から明らかなように、編集に際して記録デジタル画像中の削除する部分の開始位置や終了位置にあるフレームの画像（画面）を探索し得るようにしたものであるから、記録デジタル画像の画面探索方法ともいえるものであるところ、この点では補正後発明も同様のものといえるから、この点で両者は一致している。
　よって、補正後発明と引用発明とは、いずれも「記録デジタル画像の画面探索方法」といえるものである点で一致し、この画面探索方法が、補正後発明では記録デジタル画像を所望の時点から再生するためのものであるのに対し、引用発明では、記録デジタル画像中の所望部分を削除する編集を行うためのものである点で相違する。
　
　ｂ　多重画面を生成するステップについて
　補正後発明は、「高速探索中に、ユーザにより選択された再生時点以前にある一つ以上のピクチャーを一つの画面または複数の画面上に構成して、多重画面を生成するステップ」を含んでいるが、これに対応して、引用発明は「再生中の動画像からユーザにより選択された再生位置の前後所定期間に含まれるＩピクチャを一覧表示するＩピクチャ表示工程」を有している。
　ここで、補正後発明の上記ステップで生成する「多重画面」は、図８からも明らかなように、上記一つ以上のピクチャーを一覧表示するものであるところ、引用発明でも上記のようにＩピクチャを一覧表示しているのであるから、当該Ｉピクチャーの一覧表示画面すなわち多重画面を生成しているといえる。
　そして、補正後発明では、上記多重画面の生成を「高速探索中に」行う、すなわち明細書の記載からみて上記記録デジタル画像（動画像）の高速再生中に行うとしているところ、この点に関し、引用発明では、上記多重画面を「再生中の動画像から」一覧表示するとしていることからみて、上記多重画面を特に高速再生中ではなく通常再生中に生成しているものと解されるから、この点では補正後発明と相違するが、いずれにしても、上記記録デジタル画像（動画像）の再生中に上記多重画面を生成している点では両者に違いはない。　
　また、上記多重画面を構成する（一覧表示する）ピクチャーについて、補正後発明では「ユーザにより選択された再生時点以前にある一つ以上のピクチャー」としているのに対し、引用発明では、「ユーザにより選択された再生位置の前後所定期間に含まれるＩピクチャ」としているところ、上記前者のピクチャーと後者のＩピクチャは、いずれも“ユーザにより選択された再生時点（再生位置）に応じた期間に含まれる一つ以上のピクチャー”であるといえるからこの点では違いがないが、上記期間が、補正後発明では「再生時点以前」の期間であるのに対し、引用発明では「再生時点前後の所定期間」であるから、この点では両者に違いがある。
　更に、補正後発明では、上記多重画面を生成する上で、上記一つ以上のピクチャー（その多重画面）を「一つの画面または複数の画面上に構成して」いるところ、この点は引用発明では特に明示はないが、一般に多重画面（一覧表示画面）は、一つの画面に表示されるべき画像を縮小して、一つの画面に（多数）一覧表示することをいうが、このとき、縮小しすぎると一つの画像が視認しにくくなり、かといって、縮小率が不足すると、一つの画面に一覧表示できる画像の数が少なくなることはよく知られており、したがって、上記縮小率と一覧表示したい画像の数との関係で、一覧表示画面を一つの画面または複数の画面に構成することは、必要に応じて、一覧表示画面を構成する際、当業者が当然採用する構成であり、当該構成は、引用発明の一覧表示の構成に開示されているに等しい事項である。
　よって、補正後発明と引用発明とは、いずれも「記録デジタル画像（動画像）の再生中に、ユーザにより選択された再生時点（再生位置）に応じた期間に含まれる一つ以上のピクチャーを、一つの画面または複数の画面上に構成して多重画面を生成するステップ」を含んでいる点で一致し、当該ステップにおいて、上記多重画面の生成を上記のように記録デジタル画像の「再生中に」行う上で、補正後発明では「高速探索中に」（すなわち高速再生中に）行っているのに対し、引用発明では「通常再生中に」行っている点、および上記多重画面を構成する「ユーザにより選択された再生時点に応じた期間」のピクチャーが、補正後発明では「ユーザにより選択された再生時点以前」のピクチャーであるのに対し、引用発明では、「ユーザにより選択された再生時点前後の所定期間」のピクチャーである点で両者は相違している。
　
　ｃ　前記構成された画面を出力するステップについて
　補正後発明における「前記構成された画面を出力するステップ」は、上記ｂに記したステップで生成した多重画面を一覧表示のために出力するというものであることが明らかであるところ、引用発明でも、上記のとおり生成した多重画面を一覧表示しているのであるから、補正後発明と同様「前記構成された画面を出力する」ステップを有しているといえる。
　
　ｄ　ユーザが選択したピクチャーから再生するステップについて
　補正後発明は、「前記出力された画面のピクチャーのうちユーザが選択したピクチャーから再生するステップ」を含んでいるが、このステップとの関連では、引用発明は、「表示した各フレームの画像からユーザにより選択されたフレームを削除開始位置または削除終了位置として記憶する記憶工程」を有している。
　そして、補正後発明は、上記ユーザが選択したピクチャーから再生するステップの前提として、前記出力された画面のピクチャーのうちの所望のピクチャーをユーザが選択し、上記選択した結果としての「前記出力された画面のピクチャーのうちユーザが選択したピクチャー」を含んでいるといえるところ、引用発明も、上記ユーザにより選択されたフレームを記憶する記憶工程の前提として、表示した各フレームの画像のうちの所望のフレーム画像をユーザが選択し、選択した結果としてのフレーム（ピクチャー）を有しているといえるものである。
　しかしながら、ユーザがピクチャーを選択するのに応じて、補正後発明では、上記のように「ユーザが選択したピクチャーから再生する」ようにしているのに対し、引用発明では、上記のように“ユーザにより選択されたフレーム、すなわちユーザが選択したピクチャーを削除開始位置または削除終了位置として記憶する”ようにしているから、この点で両者は相違している。
　
　ｅ　多重画面を階層的に構成するステップについて
　補正後発明における当該ステップについての特定事項は、上記ｂに記した多重画面の生成ステップ（高速探索中に、ユーザにより選択された再生時点以前にある一つ以上のピクチャーを一つの画面または複数の画面上に構成して、多重画面を生成するステップ）をより具体化し、
「前記多重画面の生成ステップは、
　ユーザが選択した再生時点から所定時間以前までの間に含まれたピクチャーの中で前記ピクチャー間の時間間隔が広いピクチャーを上位階層に含め、前記上位階層に含まれた各ピクチャーの周辺にあるピクチャーを下位階層に含めて、前記多重画面を階層的に構成するステップ」であるとするものである。
　上記特定事項は、まず、上記多重画面に含める（多重画面を構成する）ピクチャーについて、上記ｂに記した多重画面の生成ステップで特定する「ユーザにより選択された（ユーザが選択した）再生時点以前にあるピクチャー」を更に限定し、ここでいう「再生時点以前にある」ピクチャーが「再生時点から所定時間以前までの間に含まれた」ピクチャーであるとするものであるところ、引用発明での上記多重画面を構成する（多重画面に含める）ピクチャーは、上記ｂに記したとおり「ユーザにより選択された再生時点前後の所定期間に含まれる」ピクチャであるから上記特定事項でいうピクチャとは相違する。
　しかしながら、これらのピクチャは、上記ｂで認定したように、いずれも「ユーザにより選択された再生時点に応じた期間に含まれるピクチャ」である点では違いがない。
　次に、上記特定事項における「前記ピクチャー間の時間間隔が広いピクチャーを上位階層に含め、前記上位階層に含まれた各ピクチャーの周辺にあるピクチャーを下位階層に含めて、前記多重画面を階層的に構成する」点について、この点に関し明細書（【００３３】）には、
　「図７は、本発明による階層的多重画面の例を説明するための参考図である。
　階層的多重画面は、高速探索後にユーザが再生選択をした場合に、ユーザに示す多重画面を階層的に構成するものである。すなわち、最初の画面には、ピクチャー間の時間間隔が遠く離れたピクチャーを表示し、ユーザがそのうちで一つのピクチャーを選択すれば、次の画面に、ユーザが選択したピクチャーの周辺にあるピクチャーをディスプレイ部２７０に表示することである。」
との説明があるから、当該説明に照らすと、多重画面（一覧表示画面）を上記のように「階層的に構成する」とは、上記ユーザによる再生時点の選択に応じて多重画面を表示するに際し、まず時間間隔が広いピクチャーを含む多重画面が上位階層の多重画面として表示され、次に当該上位階層の多重画面に含まれた各ピクチャーそれぞれの周辺にあるピクチャーを含む各多重画面を下位階層の多重画面としてそれらのいずれかをユーザ選択により表示し得るよう、多重画面を上記上位階層の多重画面と下位階層の多重画面とから構成したというものである。
　然るに、引用発明における前記多重画面（一覧表示画面）も、次のとおり、同様に階層的に構成されたものである。
　すなわち、引用発明における上記多重画面の表示工程では、前記のとおり、まずＩピクチャ表示工程でＩピクチャを一覧表示し、次にフレーム表示工程で、一覧表示した各Ｉピクチャからユーザにより選択されたＩピクチャとその直前のＩピクチャ（隣接するＩピクチャ）の間に含まれるＰピクチャとＢピクチャを各フレームの画像として一覧表示するようにしているのであるから、引用発明でも、上記多重画面を階層的に構成しているといえ、上記Ｉピクチャを上位階層の多重画面に含めて一覧表示し、上記隣接するＩピクチャの間に含まれるＰ，Ｂピクチャを下位階層の多重画面に含めて一覧表示するようにしているといえる。
　そして、上記Ｉピクチャは、補正後発明でいう「時間間隔が広いピクチャ」に相当し、また、上記隣接するＩピクチャ間に含まれるＰ，Ｂピクチャは、補正後発明でいう「上位階層に含まれた各ピクチャの周辺にあるピクチャ」（図７と明細書【００３４】の記載からみて、例えば隣接するＩピクチャ間に含まれるピクチャでよいと解される）に相当するから、結局、引用発明でも、補正後発明と同様、「前記ピクチャー間の時間間隔が広いピクチャーを上位階層に含め、前記上位階層に含まれた各ピクチャーの周辺にあるピクチャーを下位階層に含めて、前記多重画面を階層的に構成する」ようにしているといえる。
　よって、補正後発明と引用発明とは、いずれも「ユーザが選択した（により選択された）再生時点に応じた期間に含まれるピクチャの中で、前記ピクチャー間の時間間隔が広いピクチャーを上位階層に含め、前記上位階層に含まれた各ピクチャーの周辺にあるピクチャーを下位階層に含めて、前記多重画面を階層的に構成するステップ」を含んでいる点で一致し、上記多重画面を階層的に構成する「ユーザが選択した（ユーザにより選択された）再生時点に応じた期間のピクチャー」が、補正後発明では「ユーザが選択した再生時点から所定時間以前までの間に含まれるピクチャー」であるのに対し、引用発明では「ユーザが選択した（ユーザにより選択された）再生時点の前後所定期間に含まれるピクチャ」である点で相違している。
　
　ｆ　上位階層に含まれるピクチャーについて
　補正後発明では、「前記上位階層に含まれるピクチャーは、高速探索中の出力画面であるＩピクチャーまたはＰピクチャであり、」としているところ、当該構成については、発明の詳細な説明に記載がないから、どのような技術事項を特定しているか明確ではないが、高速探索中の出力画面においては、ＩピクチャーまたはＰピクチャーを選択して表示していることは記載されていること、および、先に検討した、平成２３年１１月２４日付け意見書の「すなわち、図６ を参照すれば、高速再生時出力画面はＩ、Ｐ、Ｉとなる。・・・高速探索中の出力画面の中からユーザが選択した時点から所定の時間前までの画面を、追加の画像処理を実施することなく、迅速かつ容易に表示でき、その後に詳細な補間画像を表示するための追加の画像処理を実施することができるようなります（ＭＰＥＧ方式の各フレームはＩピクチャー、Ｐピクチャー、Ｂピクチャーから成っている。Ｉピクチャーは一つのフレームの画像データを圧縮して作成される。Ｐピクチャーは直前のフレームの画像データとの差により作成される。Ｂピクチャーは直前及び直後のフレームの画像データとの差により作成される。」の主張を参酌すると、上位階層に含まれるピクチャーとして、高速探索中の出力画面で表示したＩピクチャーまたはＰピクチャを利用することにより、上位階層の表示を、追加の画像処理を実施することなく、迅速かつ容易に表示できることを意味するといえる。
　すなわち、前記上位階層に含まれるピクチャー（上位階層で表示されるピクチャー）は、高速探索中の出力画面で表示されたＩピクチャーまたはＰピクチャを利用して、表示するという程度の意味ととらえることができる。
　然るに、引用発明では、上記のように、上位階層に含まれるピクチャーはＩピクチャだけであり、また画面探索は高速探索（高速再生）中ではなく通常再生中に行われているのであるから、「通常再生中の出力画面であるＩピクチャー」が上位階層に含まれることになり、したがってこれらの点では引用発明は補正後発明と相違する。
　しかしながら、「上記高速探索中」と「通常再生中」は、前記のとおり、いずれも「記録デジタル画像の再生中」といえるものであって、Ｉピクチャーは通常再生中に表示されていることは明らかであるから、補正後発明と引用発明での上位階層に含まれるピクチャーは、いずれも「記録デジタル画像の再生中の出力画面（で表示された）であるピクチャー」といえるものである。
　よって、補正後発明と引用発明とは、上記上位階層に含まれるピクチャーは「記録デジタル画像の再生中の出力画面であるピクチャー」である点で一致し、当該ピクチャーが、補正後発明では「高速探索中の出力画面であるＩピクチャーとＰピクチャ」であるのに対し、補正後発明では「通常再生中の出力画面であるＩピクチャ」である点で相違する。
　
　ｇ　ピクチャーの表示態様について
　補正後発明では、上記ピクチャの表示態様について、「時間的に連続する、下位階層のピクチャーが表示される場合には、前記表示される下位階層のピクチャーの前後にある上位階層のピクチャーが表示される」としているが、これに対し、引用発明では、前記の通り、フレーム表示工程において、「一覧表示した各Ｉピクチャからユーザにより選択されたＩピクチャーとその直前のＩピクチャーとの間に含まれるＰピクチャーとＢピクチャーに上記の各Ｉピクチャーを加えたピクチャーの各フレームの画像を一覧表示する」ようにしている。
　ここで、引用発明の上記フレーム表示工程において、上記「ユーザにより選択されたＩピクチャーとその直前のＩピクチャーとの間に含まれるＰピクチャーとＢピクチャー」は、上記ｅで認定したように「下位階層のピクチャー」であって「時間的に連続する」ピクチャといえるものであり、また、上記「Ｉピクチャー」は、上記ｅで認定したように「上位階層のピクチャ」であり、上記「ユーザにより選択されたＩピクチャーとその直前のＩピクチャー」は、これらの間に上記Ｐ，Ｂピクチャーすなわち下位階層のピクチャーが含まれているのであるから、「下位階層のピクチャーの前後にある上位階層のピクチャー」といえるもので、当該ピクチャーの表示は、上記フレーム表示工程において上記下位階層のピクチャー（Ｐ，Ｂピクチャ）が表示される場合に、表示される下位階層のピクチャーと共に表示されるものである。
　よって、引用発明でも、補正後発明と同じく「時間的に連続する、下位階層のピクチャーが表示される場合には、前記表示される下位階層のピクチャーの前後にある上位階層のピクチャーが表示される」ようにしているといえ、この点で両者は一致している。
　
　ｈ　対比結果のまとめ（一致点および相違点）  
　以上の対比結果をまとめると、補正後発明と引用発明との一致点および相違点は次のとおりである。  
　
［一致点］  
　両者はいずれも、 
「記録デジタル画像の画面探索方法において、
　記録デジタル画像の再生中に、ユーザにより選択された再生時点に応じた所定期間に含まれる一つ以上のピクチャーを一つの画面または複数の画面上に構成して、多重画面を生成するステップと、
　前記構成された画面を出力するステップと、
　前記出力された画面のピクチャーのうちユーザが選択したピクチャーと、を含み、
　前記多重画面の生成ステップは、
　ユーザが選択した再生時点に応じた期間に含まれるピクチャの中で、前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含み、前記上位階層に含まれるピクチャーは、記録デジタル画像の再生中の出力画面であるピクチャーであり、時間的に連続する、下位階層のピクチャーが表示される場合には、前記表示される下位階層のピクチャーの前後にある上位階層のピクチャーが表示されることを特徴とする画面探索方法」　 
　であるといえる点。 
　
［相違点］ 
i）上記「記録デジタル画像の画面探索方法」が、補正後発明では記録デジタル画像を所望の時点から再生するためのものであるのに対し、引用発明では、記録デジタル画像中の所望部分を削除する編集を行うためのものであり、これに伴い、「前記出力された画面のピクチャーのうちユーザが選択したピクチャー」を用いて、補正後発明では、「ユーザが選択したピクチャーから再生する」ようにしているのに対し、引用発明では、「ユーザが選択したピクチャーを削除開始位置または削除終了位置として記憶する」ようにしている点。
　
ii）上記多重画面の生成を上記のように記録デジタル画像の「再生中に」行う上で、補正後発明では「高速探索中に」（高速再生中に）行っているのに対し、引用発明では「通常再生中に」行っている点。
　
iii）上記多重画面を構成する「ユーザにより選択された再生時点に応じた期間のピクチャー」が、補正後発明では「ユーザにより選択された再生時点以前にあるピクチャー」であり、上記「再生時点以前にある」ピクチャーは、「再生時点から所定時間以前までの間に含まれる」ピクチャーであるのに対し、引用発明では、「ユーザにより選択された再生時点前後の所定期間のピクチャー」である点。 
　
iv）上記上位階層に含まれるピクチャーが、補正後発明では「高速探索中の出力画面であるＩピクチャーとＰピクチャー」であるのに対し、引用発明では「通常再生中の出力画面であるＩピクチャー」である点。
　
（エ）判断  
　ａ　相違点i）、ii）について  
　上記相違点i）、ii）は、結局補正後発明が、高速再生を行い、高速再生画像を見ながら所望の再生開始点をより早くかつ正確に得ることを目的としているのに対し、引用発明では、通常再生を行い、通常再生画像を見ながら所望の編集点（削除開始点／削除終了点）をより早くかつ正確に得ることを目的としているために生じたものであるといえる。
　そして、上記引用発明は、「この時、再生中の動画像を確認しながら操作するため、ユーザの指定した再生位置は誤差を含み、正確にＣＭの開始位置を指定されていない場合がある。このため、ステップ＃２２では、指定した再生位置の例えば前後５秒間に含まれるＩピクチャが表示される。」（【００１９】）とあるように、再生中の動画像を確認しながら操作したときの誤差を考慮し、複数のＩピクチャーを表示して、所望のＩピクチャー（時間軸上の位置）をユーザが選択することができる構成を採用しているといえるところ、一般に、記録デジタル画像を高速再生して高速再生画像を見ながら所望の時点（画面）で再生開始操作を行うことでその時点から記録画像を再生することは、いわゆる頭出し再生として広く行われている周知の再生手法であって、そのような頭出し再生に際して、高速再生しながら所望の再生開始点を決定しようとすると、ユーザが画像を見て行った再生指示の時点と、再生装置が実際に再生開始点として、再生を開始する時点に誤差が生じることは周知の事項である〔例えば特開２００１−１４３４４８号公報（段落【０００４】等）、特表２００４−５１３５８９号公報（図１とその説明等）参照〕から、当該課題を解決するため、引用発明の構成を上記周知の頭出し再生の構成とすることは、当業者が容易になし得たことであるといえる。
　したがって、引用発明が開示する上記画面探索手法を、補正後発明のように上記周知の頭出し再生に適用することは当業者が容易になし得たというべきことである。
　また、そのような適用がなされた場合、ユーザが上記多重画面中の所望のピクチャーを選択すると、補正後発明のように「ユーザが選択したピクチャーから再生する」ようにすることは当然の事項にすぎない。
　よって、補正後発明の上記引用発明との相違点i）、ii）は当業者が容易に想到し得たことである。
　
　ｂ　相違点iii）について
　上記相違点iii）に係る補正後発明での上記多重画面を構成するピクチャーは、結局「ユーザにより選択された再生時点から所定時間以前までの間に含まれるピクチャー」であるといえ、そうすると、上記相違点iii）は、上記多重画面を構成するピクチャーが、引用発明では「ユーザにより選択された再生時点前後の所定期間のピクチャー」であるのに対し、補正後発明では、引用発明の上記ピクチャのうち「再生時点後の所定期間のピクチャー」を除いたピクチャーを上記多重画面を構成するピクチャーとしているものといえる。
　然るに、この点は、次のとおり、引用発明の上記画面探索手法を上記周知の頭出し再生に適用するに伴って当然に予測される事項にすぎない。
　すなわち、上記頭出し再生では、前記ａのとおり、高速再生画像を見ながら所望の時点（画面）で再生開始操作を行った際の再生開始時点の遅れが問題となることは当業者によく知られており、そのような再生開始時点の遅れを解消するには、上記多重画面上で、ユーザが選択した再生時点
以前
　
　ｃ　相違点iv）について
　上記ａで検討したように、引用発明の構成を、周知の頭出し再生の構成とすることは、当業者が容易になし得たことである。
　引用発明の構成を上記周知の頭出し再生の構成とすれば、探索における再生は、高速探索（再生）となることは明らかである。
　そして、デジタル符号化された動画を高速再生するとき、処理の負担を軽減するため、ＩピクチャーとＰピクチャーのみを表示する（Ｂピクチャーは表示しない）構成を採用することは、例えば特開平１１−１５５１２９号報（【００２４】）にあるとおり本願出願前周知の技術事項であり、引用発明を周知の頭出し再生の構成としたとき、高速探索中の出力画面にＩピクチャーまたはＰピクチャーを採用することは、当業者が普通に採用し得たことであるといえる。
　そして、引用発明で、上位階層に含まれるピクチャーとしてＩピクチャーを表示するのは、
「また、ＰピクチャやＢピクチャを復号する際には前後のフレームの情報を必要とし、前後のフレームがＰピクチャやＢピクチャの場合は更にその前後のフレームの情報を必要とするため復号時間がかかる。このため、復号時間によって編集作業が更に遅延する問題もあった。」（【０００５】）
「また、前後のフレームの情報を必要とするＰピクチャやＢピクチャを隣接するＩピクチャ間だけ復号すればよい。このため、復号の時間を短縮することができ、編集作業の作業性を更に向上させることができる。」（【００３２】）
「また、前後のフレームの情報を必要とするＰピクチャやＢピクチャを隣接するＩピクチャ間だけ復号すればよい。このため、復号の時間を短縮することができ、編集作業の作業性を更に向上させることができる。」（【００３６】）
　の記載を見れば、上位階層において、Ｉピクチャーのみを表示することで、ＰピクチャーまたはＢピクチャーを復号化する処理を省いて、効率よく作業を行うことを目的としていることが理解できるところ、引用発明の構成をいわゆる頭出し再生に適用したとき、高速探索中にＩピクチャーまたはＰピクチャーを表示（すなわち、ＩピクチャーまたはＰピクチャーは復号化された状態である）することは普通に採用し得た構成であるから、上記高速再生で表示（復号化）されたピクチャーを用いて、上位階層の表示を行おうとすることは当業者であれば、容易に想起し得たことである。
　よって、補正後発明の上記引用発明との相違点iv）は、当業者が容易に想到し得たことである。
　
（オ）まとめ（独立特許要件）  
　以上のように、補正後発明の引用発明との相違点i）〜iv）は、当業者が容易に想到し得たといえるものであり、また補正後発明をその技術的効果を含めて全体としてみても、発明として格別のものがあるとは認められない。　
　よって補正後発明は、上記刊行物１に記載された発明および周知技術に基づいて当業者が容易に発明をすることができたものであり、したがって特許法第２９条第２項の規定により特許出願の際独立して特許を受けることができないものである。  
　
（カ）むすび（補正却下の決定、独立特許要件）  
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
 　 
　なお、以上の判断は、その前提として、前記２（２）の「ア　補正の目的」で認定したとおり、本件補正の前記第１の補正点中の“ユーザが選択した再生時点「前後」から所定時間以前までの間”との補正点は誤りであって、正しくは“ユーザが選択した再生時点から所定時間以前までの間”であるとしたが、仮に上記補正点が正当なものであるとすれば、当該補正点は、本願の出願当初の明細書、特許請求の範囲又は図面には記載されていない事項であって特許法第１７条の２第３項の規定に違反するものとなるから、この理由によって本件補正は却下されるべきものである。
　
　よって、補正却下の決定の結論のとおり決定する。 
 　  
３．本願発明について  
（１）本願発明  
　平成２４年１２月７日付けの手続補正は上記のとおり却下したので、本件出願に係る発明は、平成２２年１２月２８日付け手続補正書により補正された特許請求の範囲の請求項１から請求項１１までに係る各発明であるところ、請求項１に係る発明（以下、これを「本願発明」ともいう）は、当該請求項１の次の記載により特定されるものである。  
 　 
「【請求項１】
　デジタル再生のための画面探索方法において、
　高速探索中に、ユーザにより選択された再生時点以前にある一つ以上のピクチャーを一つの画面または複数の画面上に構成して、多重画面を生成するステップと、
　前記構成された画面を出力するステップと、
　前記出力された画面のピクチャーのうちユーザが選択したピクチャーから再生するステップと、を含み、
　前記多重画面の生成ステップは、
　前記ピクチャー間の時間間隔が広いピクチャーを上位階層に含め、前記上位階層に含まれた各ピクチャーの周辺にあるピクチャーを下位階層に含めて、前記多重画面を階層的に構成するステップを含むことを特徴とする画面探索方法。」
 　 
（２）刊行物１  
　ａ．刊行物１の記載  
　原査定の拒絶理由に引用された特開２００４−１５９０８２号公報（前記の刊行物１、以下「刊行物１」という）には、前記２（２）ウ（イ）の「ａ　刊行物１の記載」に示したとおりの事項が記載されている。  
 　 
　ｂ．刊行物１記載の発明  
　上記刊行物１には、前記２（２）ウ（イ）の「ｂ　刊行物１記載の発明」に示したとおりの発明が記載されている。  
 　  
（３）対比 、判断 
　本願発明は、前記２（２）ウ（ア）で認定した補正後発明との対応でみると、当該補正後発明における「ユーザが選択した再生時点から所定時間以前までの間に含まれたピクチャーの中で、」との特定、および「前記上位階層に含まれるピクチャーは、高速探索中の出力画面であるＩピクチャーまたはＰピクチャーであり、時間的に連続する、下位階層のピクチャーが表示される場合には、前記表示される下位階層のピクチャーの前後にある上位階層のピクチャーが表示される」との特定を欠くものであって、その余の点では補正後発明と同じである。 
　然るに、補正後発明は、前記２（２）ウの（ウ）〜（オ）で認定、判断したとおり上記刊行物１に記載された発明および周知技術に基づいて当業者が容易に発明をすることができたものであり、したがって本願発明も同様に上記刊行物１に記載された発明および周知技術に基づいて当業者が容易に発明をすることができたものである。
　
４．むすび  
　以上のとおりであるから、本件出願の請求項１に係る発明は、特許法第２９条第２項の規定により特許を受けることができない。  
　それ故、本件出願の請求項２から請求項１１までに係る各発明について検討するまでもなく、本願は拒絶されるべきものである。  
 　 
 　よって、結論のとおり審決する。